(57)【要約】【課題】部品点数を削減してコストダウンを図るとともに、所望の制振特性を容易に得ることができる小型化に適した光ピックアップ用アクチュエータを提供する。【解決手段】ダンパーベース２７にスリット部３１を形成し、スリット部３１を挟んでサスペンションワイヤ２６の延在方向に沿って並ぶ第１のダンピング部３２と第２のダンピング部３３とを形成する。第１のダンピング部３２の一部に第１のダンピングゲルを充填し、スリット部に第２のダンピングゲルを充填する。【選択図】図４
2009217860.tif 000002
【特許請求の範囲】
【請求項１】
サスペンションワイヤの延在方向に沿って第１のダンピング部と第２のダンピング部とがスリット部を挟んで配置されるよう形成されたダンパーベースと、前記スリット部に充填されたダンパー材とを備えることを特徴とする光ピックアップ用アクチュエータ。
【請求項２】
前記第２のダンピング部がカンチレバー形状であることを特徴とする請求項１の光ピックアップ用アクチュエータ。
【請求項３】
前記ダンパー材が前記スリット部全体に充填されていることを特徴とする請求項１又は２の光ピックアップ用アクチュエータ。
【請求項４】
前記ダンパー材の損失係数が前記第１のダンピング部の一部に注入される他のダンパー材よりも損失係数が大きいことを特徴とする光ピックアップ用アクチュエータ。
【請求項５】
請求項１乃至４のいずれか一つの光ピックアップ用アクチュエータを備えることを特徴とする光ピックアップ装置。
【発明の詳細な説明】
【技術分野】
【０００１】
本発明は、光ピックアップ用アクチュエータに関し、特に、制振性能を向上させた光ピックアップ用アクチュエータに関する。
【背景技術】
【０００２】
従来の光ピックアップ用アクチュエータは、図１に示すように、対物レンズ１１を保持するレンズホルダ１２を含む可動部１３と、その一端近傍が可動部１３に固定される複数のサスペンションワイヤ１４と、サスペンションワイヤ１４の他端近傍を支えるダンパーベース１５と、ダンパーベース１５が固定されるアクチュエータベース１６と、ダンパーベース１５の後壁にねじで固定される端子ピンユニット１７とを有している。
【０００３】
ダンパーベース１５は、サスペンションワイヤ１４を挿通させる中空部を有している。中空部には、サスペンションワイヤ１４が挿通され、ダンピングゲルが充填されている。サスペンションワイヤ１４は、このダンピングゲルにより支持される。
【０００４】
端子ピンユニット１７は、インサート成形により、樹脂に複数のサスペンションワイヤ１４に夫々対応する金属製の端子ピン１８を埋め込んだものである。端子ピンユニット１７は、ダンパーベース１５の後壁に取り付けられた状態で、端子ピン１８とダンパーベース１５の後端と間に隙間ができるよう形成されている。また、各端子ピン１８は、サスペンションワイヤ１４を挿通させる孔を有している。サスペンションワイヤ１４の後端は、孔に挿通させた状態で端子ピン１８に半田付けされ、固定される。
【０００５】
可動部１３は、対物レンズ１１をフォーカシング方向及びトラッキング方向へ移動させるものである。可動部１３の駆動に用いられるコイルへの通電は、サスペンションワイヤ１４を通じて行われる。可動部１３の駆動により発生した振動は、サスペンションワイヤ１４に伝わり、ダンパーベース１５のダンピングゲルにより吸収され減衰する。ダンピングゲルによって吸収できない共振は、端子ピン１８により抑制される（例えば、特許文献１参照）。
【０００６】
また、従来の他の光ピックアップ用アクチュエータとして、幅狭の連結部分によって固定部分と回転振動部分とが連結されたダンパーベースを備えたものもある（例えば、特許文献２参照）。
【０００７】
【特許文献１】特開２００２−２８８８５７号公報
【特許文献２】特開２００２−７４７０４号公報
【発明の開示】
【発明が解決しようとする課題】
【０００８】
特許文献１に記載された光ピックアップ用アクチュエータは、コスト高であるという問題点がある。これは、特許文献１の光ピックアップ用アクチュエータが高価な端子ピンユニットを含んでいるからである。なお、端子ピンユニットに代えてプリント配線基板（ＰＷＢ）を用いることも考えられるが、制御部等との接続にフレキシブルプリント基板が必要であることを考慮すれば、機能が重複する部品を複数用いることになるので、その場合でもコスト高となる。
【０００９】
また、特許文献２に記載された光ピックアップ用アクチュエータには、所望の制振特性が得られない場合があるという問題点がある。また、所望の制振特性を得る場合、回転振動部分の回転半径を大きくする必要があるため、小型化が困難であるという問題点もある。
【００１０】
そこで、本発明は、部品点数を削減してコストダウンを図るとともに、所望の制振特性を容易に得ることができる小型化に適した光ピックアップ用アクチュエータを提供することを目的とする。
【課題を解決するための手段】
【００１１】
本発明の光ピックアップ用アクチュエータは、サスペンションワイヤ（２６）の延在方向に沿って第１のダンピング部（３２）と第２のダンピング部（３３）とがスリット部（３１）を挟んで位置するようにダンパーベース（２７）に前記スリット部を形成し、当該スリット部にダンパー材を充填したことを特徴とする。
【００１２】
なお、上記カッコ内の参照符号は、本願発明の理解を容易にすることを目的とするものであって、なんら本発明を限定するものではない。
【発明の効果】
【００１３】
本発明によれば、サスペンションワイヤの延在方向に沿って第１のダンピング部と第２のダンピング部とがスリット部を挟んで位置するようにダンパーベースにスリットを形成し、そのスリット部にダンパー材を充填したことで、端子ピンユニットを用いることなく、所望の制振特性を得ることができる。これにより、部品点数の削減とコストダウンを実現できる。また、この構成は、小型化の妨げとなることもない。
【発明を実施するための最良の形態】
【００１４】
以下、図面を参照して本発明の実施の形態について詳細に説明する。
【００１５】
図２は本発明の光ピックアップ用アクチュエータの全体を示す斜視図である。図示の光ピックアップ用アクチュエータは、例えば、ハンディタイプのＤＶＤカメラ等に搭載される小型・薄型の光ピックアップ装置に用いられる。
【００１６】
図２の光ピックアップ用アクチュエータは、対物レンズ２１を保持するレンズホルダー２２とボビン２３を含む可動部２４と、可動部２４の空隙内に挿入配置されたマグネット２５と、可動部２４に一端側が固定された複数（ここでは６本）のサスペンションワイヤ２６と、サスペンションワイヤ２６の他端側を支持するダンパーベース２７と、マグネット２５及びダンパーベース２７が固定されるアクチュエータベース２８と、サスペンションワイヤ２６の後端に電気的に接続されるフレキシブルプリント基板（ＦＰＣ）２９を有している。
【００１７】
ダンパーベース２７は、図３に示すような形状を有している。このようなダンパーベース２７は、例えば、射出成形により一体的に形成される。図４（ａ），（ｂ）及び（ｃ）に、ダンパーベース２７の正面図、底面図及び右側面図をそれぞれ示す。
【００１８】
図３及び図４（ａ）から明らかなように、ダンパーベース２７は、サスペンションワイヤ２６と交差するように形成されたスリット部３１を有している。このスリット部３１の存在により、ダンパーベース２７の両側部は、サスペンションワイヤ２６の延在方向に沿って、第１のダンピング部３２と第２のダンピング部３３とに区分される。換言すると、このダンパーベース２７は、スリット部３１を挟んでサスペンションワイヤ２６の延在方向に沿って並ぶ第１のダンピング部３２と第２のダンピング部３３とを有している。
【００１９】
第１のダンピング部３２は、サスペンションワイヤ２６の断面より大きい断面を持つ挿通空間を規定する。挿通空間の先端側には、ダンピングゲル注入部３４が設けられる。ダンピングゲル注入部３４に注入された第１のダンピングゲルによりサスペンションワイヤ２６を支持し、その振動を吸収、抑制する。
【００２０】
第２のダンピング部３３は、少なくとも一部がサスペンションワイヤ２６の断面とほぼ等しい断面を持つ挿通空間を規定する。また、第２のダンピング部３３は、カンチレバー形状を有し、第１のダンピング部３２に対して変位可能である。第２のダンピング部３３の図４（ａ）の左右方向端面は、第１のダンピング部３２の同方向端面に一致している。
【００２１】
スリット部３１には、図４（ａ）にハッチングで示すように、その全体に第２のダンピングゲル３４が充填される。即ち、第２のダンピングゲル３４は、第１のダンピング部３２と第２のダンピング部３３との間（サスペンションワイヤの周囲）のみならず、カンチレバー形状の支点付近についても充填される。求めるダンピング特性に応じて、ダンピングゲル３４の充填位置は適宜調整されてよく、サスペンションワイヤの周囲のみでもよい。
【００２２】
図５に、サスペンションワイヤ２６を用いて可動部２４をダンパーベース２７に取り付けた状態の側面図を示す。
【００２３】
第１のダンピングゲルと第２のダンピングゲルとは、その使用目的に応じて異なる特性のものが用いられる。例えば、第１のダンピングゲルは１０〜１００Ｈｚの振動を吸収抑制するよう、第２のダンピングゲルは、１〜５ｋＨｚの共振を吸収抑制するよう選択される。また、第２のダンピングゲルとして、共振のばらつきを小さくするために第１のダンピングゲルより大きい損失係数（ｔａｎδ）を持つゲルが用いられる。
【００２４】
本実施の形態の光ピックアップ用アクチュエータは、スリットの形状、ダンパーベースの材質、ダンピングゲルの材質を適宜選択し組み合わせることで、種々の共振に対して柔軟に対応することができる。
【００２５】
また、本実施の形態の光ピックアップ用アクチュエータは、高価な端子ピンユニットやＰＷＢを用いることなく、また、ダンパーベースを大型化することなく、所望の減衰特性を得ることができる。
【００２６】
さらに、本実施の形態の光ピックアップ用アクチュエータは、ダンパーベースに端子ピンユニットをねじ止めするのではなく、一体成形により第１及び第２のダンピング部を形成するので、サスペンションワイヤの取り付け精度が向上し、傾角特性が安定する。
【００２７】
以上、本発明について一実施の形態に即して説明したが、本発明は上記実施の形態に限定されるものではなく、本発明の範囲内において授受の変形が可能である。
【図面の簡単な説明】
【００２８】
【図１】従来の光ピックアップ用アクチュエータの斜視図である。
【図２】本発明の一実施の形態に係る光ピックアップ用アクチュエータの斜視図である。
【図３】図２の光ピックアップ用アクチュエータに用いられるダンパーベースの斜視図である。
【図４】（ａ）は図３のダンパーベースの正面図、(ｂ)はその底面図及び（ｃ）はその側面図である。
【図５】図３のダンパーベースにサスペンションワイヤを用いて可動部を取り付けた状態を示す側面図である。
【符号の説明】
【００２９】
１１，２１    対物レンズ
１２，２２    レンズホルダー
１３，２４    可動部
１４，２６    サスペンションワイヤ
１５，２７    ダンパーベース
１６，２８    アクチュエータベース
１７    端子ユニット
１８    端子ピン
２３    ボビン
２５    マグネット
２９    フレキシブルプリント基板
３１    スリット部
３２    第１のダンピング部
３３    第２のダンピング部
３４    第２のダンピングゲル
【図１】
2009217860.tif 000003
【図２】
2009217860.tif 000004
【図３】
2009217860.tif 000005
【図４】
2009217860.tif 000006
【図５】
2009217860.tif 000007